(57)【要約】【課題】複写対象のフィルムと撮像部との画面サイズの違いや、使用されるレンズの種類にかかわらず、所望の倍率での複写を容易に行えるカメラシステム等を提供する。【解決手段】画像情報を取得する撮像部１０１と、撮像部１０１の被写体Ｆ側に設けられたレンズ鏡筒２００と、レンズ鏡筒２００の焦点距離情報を検出する焦点距離情報検出部２０３と、合焦時におけるレンズ鏡筒２００の前側焦点から被写体Ｆまでの距離を検出する距離情報検出部３０４と、予め定められた所定形状の被写体Ｆを撮影する際に、焦点距離情報、距離情報、及び撮像部１０１のサイズに基づいて、撮像部１０１の撮像面上に投影される被写体Ｆのサイズと撮像面のサイズとのサイズ比を演算する画面サイズ比演算部１０６と、画面サイズ比演算部１０６の出力に応じて、サイズ比に関する情報を出力する出力部１０５とを備えるカメラシステムとする。【選択図】図２
2005292257.tif 000002
【特許請求の範囲】
【請求項１】
画像情報を取得する撮像部と、
前記撮像部の被写体側に設けられたレンズ鏡筒と、
前記レンズ鏡筒の焦点距離情報を検出する焦点距離情報検出部と、
合焦時における前記レンズ鏡筒の前側焦点から前記被写体までの距離情報を検出する距離情報検出部と、
予め定められた所定の形状の被写体を撮影する際に、前記焦点距離情報、前記距離情報、及び前記撮像部のサイズに基づいて、前記撮像部の撮像面上に投影される前記被写体のサイズと前記撮像面のサイズとのサイズ比を演算する画面サイズ比演算部と、
前記画面サイズ比演算部の出力に応じて、前記サイズ比に関する情報を出力する出力部と
を備えるカメラシステム。
【請求項２】
請求項１に記載のカメラシステムにおいて、
前記出力部は、前記サイズ比に関する情報を表示する表示部を備えていること
を特徴とするカメラシステム。
【請求項３】
請求項１又は請求項２に記載のカメラシステムにおいて、
前記出力部は、前記サイズ比が設定された範囲であるときに信号音又は信号表示を出力すること
を特徴とするカメラシステム。
【請求項４】
請求項１から請求項３までのいずれか1項に記載のカメラシステムにおいて、
前記レンズ鏡筒の対物側の端部に装着され、前記被写体であるフィルムを前記レンズ鏡筒の光軸方向に移動可能に保持するフィルム保持部を有すること
を特徴とするカメラシステム。
【請求項５】
画像情報を取得する撮像部と、
前記撮像部の被写体側に設けられ、レンズ鏡筒が着脱可能に装着されるマウント部と、
前記レンズ鏡筒の焦点距離情報が入力される焦点距離情報入力部と、
合焦時における前記レンズ鏡筒の前側焦点から被写体までの距離情報が入力される距離情報入力部と、
予め定められた所定の形状の被写体を撮影する際に、前記焦点距離情報、前記距離情報、及び前記撮像部のサイズに基づいて、前記撮像部の撮像面上に投影される前記被写体のサイズと前記撮像面のサイズとのサイズ比を演算する画面サイズ比演算部と、
前記画面サイズ比演算部の出力に応じて、前記サイズ比に関する情報を出力する出力部と
を備えるカメラボディ。
【発明の詳細な説明】
【技術分野】
【０００１】
本発明は、フィルムに記録されている画像を撮影し、複写するカメラシステム及びカメラボディに関するものである。
【背景技術】
【０００２】
従来、例えば３５ｍｍフィルムを使用するレンズ交換式一眼レフカメラのレンズ鏡筒の対物側に、複写対象であるポジ又はネガフィルムを保持し、これを撮影することによってフィルムを複写する複写装置がある。
このような複写装置は、一般に、通常のレンズよりも最短被写体距離が短く、大きな撮影倍率を得られるレンズ（「マクロレンズ」と通称される）の対物側の端部に、着脱可能に装着される。そして、フィルムと、レンズ鏡筒の先端部との距離（ワーキングディスタンス）を、所定の長さに合わせることによって、カメラ内のフィルムに略等倍での複写ができるようになっている。
【０００３】
また、近年は、デジタルカメラによって、フィルムに記録された画像情報を取得することが要望されている。なお、本明細書において、このような画像情報の取得も、「複写」と称するものとする。
【０００４】
デジタルカメラは、例えばＣＣＤ等の撮像素子の表面に、撮影用のレンズ鏡筒によって結像された画像情報を取得するものであるが、この撮像素子の大きさは様々であり、レンズ交換式一眼レフ式のデジタルカメラの場合は、３５ｍｍ判の画面サイズよりも小さいことが多い。例えば、３５ｍｍ判のフィルムの画面サイズは、通常長辺約３６ｍｍ、短辺約２４ｍｍであるのに対し、いわゆるＡＰＳ−Ｃサイズの撮像素子を有するデジタルカメラの場合には、撮像面の有効画面サイズは、長辺約２３．７ｍｍ、短辺約１５．６ｍｍである。
【０００５】
このように、撮像部の画面サイズが、フィルムの画面サイズと異なるカメラによってフィルムを複写する場合は、既存のフィルムカメラによる複写でも考慮されてきたレンズの焦点距離及びそのワーキングディスタンスに加え、新たに複写元となるフィルムの画面サイズ及び撮像に用いる撮像素子の有効画面サイズを考慮する必要がある。
【０００６】
一方、フィルムの複写をする場合は、フィルムの画像の周縁を撮像素子の有効な撮像面の周縁と略一致させて、いわゆる等倍の複写を行う場合もあるが、フィルムの画像の一部を拡大し、トリミングして複写する場合がある。また、フィルムの画像を縮小し、画面の周縁部に余裕を残して複写を行う場合もある。
【０００７】
このような複写を行う場合に、一眼レフ式のカメラであれば、光学式のファインダ像をユーザが観察しながら、所望の倍率を得られるように、ワーキングディスタンスや、ズームレンズの場合には焦点距離といった各種パラメータの設定を行う。
しかし、撮像面のうちファインダに表示される領域の率を示すファインダ視野率は、１００％に満たないことが一般的であるから、撮像される画像には、ファインダ像では確認できない部分まで含まれることになる。このため、ファインダ像のみによって所望の複写倍率を得ることは困難である。
【０００８】
従来、フィルムの複写装置に関するものとして、特許文献１には、ＡＦ機能の誤作動を防止するため、被写体であるフィルムをカメラから所定の距離に保持し、この距離に基づいて合焦動作を行うカメラが記載されているが、複写倍率は一定であり、所望の複写倍率を得ることは記載されていない。
特許文献２には、フィルムを複写する際そのネガ、ポジを容易に識別するため、ビデオカメラによってフィルムを複写するためのフィルム複写装置において、ネガフィルムを複写するかポジフィルムを複写するか等の状態を信号として出力するものが記載されているが、複写倍率の設定については記載されていない。
特許文献３には、非交換式のズームレンズを有するデジタルカメラにおいて、ズームレンズの対物側に保持したフィルムを予め設定された撮影倍率で複写するために、ズームレンズの焦点距離を自動的に変化させることが記載されているが、レンズ交換式のカメラシステムや、単焦点距離のレンズを用いた場合に、所望の倍率で複写をすることは記載されていない。
【特許文献１】特開平５−６１１０５号公報
【特許文献２】特開平６−１４２６３号公報
【特許文献３】特開２００１−１９７３６４号公報
【発明の開示】
【発明が解決しようとする課題】
【０００９】
本発明の課題は、複写対象のフィルムと撮像部との画面サイズの違いや、使用されるレンズの種類にかかわらず、容易に所望の複写倍率を得られるカメラシステム及びカメラボディを提供することである。
【課題を解決するための手段】
【００１０】
本発明は、以下のような解決手段により、前記課題を解決する。なお、理解を容易にするために、本発明の実施形態に対応する符号を付して説明するが、本発明はこれに限定されるものではない。
【００１１】
請求項１の発明は、画像情報を取得する撮像部（１０１）と、前記撮像部（１０１）の被写体（Ｆ）側に設けられたレンズ鏡筒（２００）と、前記レンズ鏡筒（２００）の焦点距離情報を検出する焦点距離情報検出部（２０３）と、合焦時における前記レンズ鏡筒の前側焦点から前記被写体（Ｆ）までの距離を検出する距離情報検出部（３０４）と、予め定められた所定の形状の被写体（Ｆ）を撮影する際に、前記焦点距離情報、前記距離情報、及び前記撮像部（１０１）のサイズに基づいて、前記撮像部（１０１）の撮像面上に投影される前記被写体（Ｆ）のサイズと前記撮像面のサイズとのサイズ比を演算する画面サイズ比演算部（１０６）と、前記画面サイズ比演算部（１０６）の出力に応じて、前記サイズ比に関する情報を出力する出力部（１０５）とを備えるカメラシステムである。
【００１２】
請求項２の発明は、請求項１に記載のカメラシステムにおいて、前記出力部（１０５）は、前記サイズ比に関する情報を表示する表示部を備えていることを特徴とするカメラシステムである。
【００１３】
請求項３の発明は、請求項１又は請求項２に記載のカメラシステムにおいて、前記出力部（１０５）は、前記サイズ比が設定された範囲であるときに信号音又は信号表示を出力することを特徴とするカメラシステムである。
【００１４】
請求項４の発明は、請求項１から請求項３までのいずれか１項に記載のカメラシステムにおいて、前記レンズ鏡筒（２００）の対物側の端部に装着され、前記被写体であるフィルム（Ｆ）を前記レンズ鏡筒（２００）の光軸方向に移動可能に保持するフィルム保持部（３００）を有することを特徴とするカメラシステムである。
【００１５】
請求項５の発明は、画像情報を取得する撮像部（１０１）と、前記撮像部（１０１）の被写体側に設けられ、レンズ鏡筒（２００）が着脱可能に装着されるマウント部（１０２）と、前記レンズ鏡筒（２００）の焦点距離情報が入力される焦点距離情報入力部と、合焦時における前記レンズ鏡筒（２００）の前側焦点から被写体（Ｆ）までの距離情報が入力される距離情報入力部と、予め定められた所定の形状の被写体（Ｆ）を撮影する際に、前記焦点距離情報、前記距離情報、及び前記撮像部（１０１）のサイズに基づいて、前記撮像部（１０１）の撮像面上に投影される前記被写体（Ｆ）のサイズと前記撮像面のサイズとのサイズ比を演算する画面サイズ比演算部（１０６）と、前記画面サイズ比演算部（１０６）の出力に応じて、前記サイズ比に関する情報を出力する出力部（１０５）とを備えるカメラボディ（１００）である。
【発明の効果】
【００１６】
本発明によれば、焦点距離情報、距離情報及び撮像部の撮像面のサイズに基づいて、被写体と撮像面とのサイズ比を演算する画面サイズ比演算部を設けているから、フィルムと撮像部との画面サイズの違いや、使用されるレンズの種類にかかわらず、所望の倍率での複写を容易に行うことができる。
【発明を実施するための最良の形態】
【００１７】
本発明は、所望の倍率での複写を容易に行うという課題を、レンズ鏡筒の焦点距離を検出する倍率センサと、レンズ鏡筒から被写体までのワーキングディスタンス（ＷＤ）を検出するＷＤセンサと、焦点距離、ＷＤ及び撮像素子の撮像面サイズとに基づいて複写倍率を求めるＣＰＵとをカメラシステムに設けることによって解決した。
【実施例１】
【００１８】
以下、図面等を参照して、本発明の実施例をあげて、さらに詳しく説明する。
図１は、本発明を適用したカメラシステムの実施例１の構成を示す概略図である。図２は、このカメラシステムのブロック図である。
このカメラシステムは、カメラボディ１００と、レンズ鏡筒２００と、フィルム保持装置３００とを有する。
【００１９】
カメラボディ１００は、例えば、レンズ交換式のデジタル一眼レフであり、撮像素子１０１と、マウント部１０２と、ミラー１０３と、ペンタプリズム１０４と、ファインダ表示部１０５と、ＣＰＵ１０６を備えている（ＣＰＵ１０６は、図１では図示しない。図２を参照。）。
【００２０】
撮像素子１０１は、例えばＣＣＤ、ＣＭＯＳ等の光−電気変換部を有し、レンズ鏡筒２００によってその表面の撮像面に投影された画像を取得するものである。
マウント部１０２は、レンズ鏡筒２００が、バヨネット結合によって着脱可能に装着されるものであり、後述するレンズ鏡筒２００側との通信に用いられる信号端子を備えている。
ミラー１０３は、撮像素子１０１とマウント部１０２との間に設けられ、レンズ鏡筒２００から入射した光線を上方に反射し、ペンタプリズム１０４に入射させる。また、ミラー１０３は、撮影時には、露光開始直前に上方に退避し、露光終了後もとの位置に復帰するいわゆるクイックリターンミラーとなっている。
ペンタプリズム１０４は、ミラー１０３の上方に設けられ、ミラー１０３から入射した光線を内部で３回反射させることによって、ファインダ表示部１０５に正像を表示させるものである。
ファインダ表示部１０５は、ミラー１０３及びペンタプリズム１０４を経由して投射されるファインダ像を表示する光学系を備え、さらに、ファインダ像の周囲に所定の文字又は記号等を表示する図示しない表示部を備えている。
ＣＰＵ１０６は、撮像素子１０１に接続され、撮像素子１０１が取得した画像のデータを処理し、また、撮像素子１０１の撮像面の有効サイズに関する情報を保持している。また、ＣＰＵ１０６は、ファインダ表示部１０５に接続され、その表示部に情報を表示させる機能を備えている。
【００２１】
レンズ鏡筒２００は、撮影用のレンズ群２０１と、マウント２０２と、倍率センサ２０３とを備えている（倍率センサ２０３は図１では図示しない。図２を参照。）。
レンズ鏡筒２００は、いわゆるズーム式のマクロレンズであり、レンズ群２０１は、これに含まれるフォーカスレンズ群及びズームレンズ群が、その光軸方向にそれぞれ移動することによって、被写体距離及び焦点距離が変化するようになっている。
マウント２０２は、カメラボディ１００側のマウント１０２とバヨネット結合されるものであり、カメラボディ１００側のＣＰＵ１０６と通信する信号端子を備えている。
倍率センサ２０３は、レンズ群２０１の焦点距離及び被写体距離を検出する検出部であり、上述した信号端子を経由して、検出した焦点距離及び被写体距離をＣＰＵ１０６に伝達する機能を有している。
【００２２】
なお、被写体距離の変更は、カメラボディ１００が備える図示しない自動焦点（ＡＦ）制御部及びＡＦ駆動部によって、例えばＴＴＬ位相差検出方式によって自動的に行われるほか、レンズ鏡筒２００の外周側に設けられた図示しないフォーカスリングをユーザが手動で操作することによってもなされる。
また、焦点距離の変更は、レンズ鏡筒２００の外周側に設けられた図示しないズームリングをユーザが手動で操作することによって行われる。
【００２３】
フィルム保持装置３００は、フィルムホルダ３０１と、スライド機構部３０２と、フィルムセンサ３０３と、ワーキングディスタンス（ＷＤ）センサ３０４とを備えている（フィルムセンサ３０３及びＷＤセンサ３０４は図１では図示しない。図２を参照。）。
フィルム保持装置３００の本体３００ａは、略円筒状に形成され、レンズ鏡筒２００の対物側に、その光軸と略同心に配置されている。
【００２４】
フィルムホルダ３０１は、例えば現像済みの３５ｍｍ判ポジ又はネガのスライド又はスリーブであるフィルムＦを、フィルムＦの画面中心が本体３００ａの内径側の略中央部に位置するようにし、また、フィルムＦをレンズ鏡筒２００の光軸に対して垂直に保持するものである。
スライド機構部３０２は、フィルムホルダ３０１を、レンズ鏡筒２００の光軸方向に移動するものであり、そのレンズ鏡筒２００側の端部には、レンズ鏡筒２００にねじ結合されるアタッチメントが形成されている。
フィルムセンサ３０３は、フィルムホルダ３０１に保持されるフィルムＦの画面サイズ及び種類を検出するものであり、種類は具体的には例えばポジとネガとの区別を含む。
ＷＤセンサ３０４は、スライド機構部３０２の伸縮に伴って変化する、フィルムＦとレンズ鏡筒２００の前側焦点との光軸方向における距離（ワーキングディスタンス）を検出するものである。
フィルムセンサ３０３及びＷＤセンサ３０４は、それぞれカメラボディ１００のＣＰＵ１０６と通信する機能を備え、カメラボディ１００には、フィルム保持装置３００側からの情報が入力される図示しない入力部が備えられる。
【００２５】
次に、上述したカメラシステムにおいて、フィルムの複写を行う際の動作について説明する。
はじめに、複写対象となるフィルムＦは、カメラボディ１００側から正像が観察可能な状態でフィルムホルダ３０１に保持され、フィルムホルダ３００に装着される。
【００２６】
次に、ユーザは、ファインダ表示部１０５に表示されるファインダ像を観察しながら、複写装置３００のスライド機構部３０２を調節してワーキングディスタンスを変更し、また、レンズ鏡筒２００のズームリングを調節してレンズ群２０１の焦点距離を変更する。また、ワーキングディスタンスの変更に応じて、レンズ群２０１の被写体距離は、自動又は手動フォーカスによって調節される。
【００２７】
このとき、カメラボディ１００のＣＰＵ１０６は、ＷＤセンサ３０４が検出した合焦時のワーキングディスタンスと被写体距離との少なくとも一方と、倍率センサ２０３が検出したレンズ群２０１の焦点距離及びフィルムセンサ３０３が検出したフィルムＦの画面サイズと、ＣＰＵ１０６が保持している撮像素子１０１の撮像面サイズとに基づいて、複写倍率を演算する。なお、レンズ群２０１の前側焦点から被写体までの距離である被写体距離は、合焦時の図示しないオートフォーカスエンコーダの検出値から求めることができる。また、合焦時のワーキングディスタンスと焦点距離情報から前述の被写体距離を求めることができるので、被写体距離とワーキングディスタンスとは、いずれか一方がわかればよいことになる。
ここで、複写倍率とは、レンズ群２０１によって撮像素子１０１の撮像面に投射されたフィルムＦの画像の投射像のサイズ（例えば、対角長さ）の、撮像素子１０１の撮像面のサイズに対する比をいうものとする。
【００２８】
図３は、ファインダ表示部１０５の一表示例を示す図である。
ファインダ表示部１０５は、ファインダ像表示領域１０５ａと、ＬＣＤ表示領域１０５ｂとが設けられている。
【００２９】
ファインダ像表示領域１０５ａは、レンズ鏡筒２００のレンズ群２０１の投射像を、ミラー１０３及びペンタプリズム１０４を介し、ファインダ像として表示するものである。また、ファインダ像表示領域１０５ａには、ファインダ像と重ねて、ＡＦ測距エリア表示１１０が表示されている。
【００３０】
ＬＣＤ表示領域１０５ｂは、ファインダ像表示領域１０５ａの下側に設けられ、液晶表示装置（ＬＣＤ）によって、文字又は図形等を表示するものである。
ＬＣＤ表示領域１０５ｂには、ＡＦインジケータ１１１と、シャッター速度表示１１２と、絞り値表示１１３と、複写倍率表示１１４とが表示されている。
【００３１】
ＡＦインジケータ１１１は、オートフォーカスを用いた合焦動作時に、正常に合焦がなされたか否かを示す表示であり、例えば合焦時には丸印、また、合焦していない時には、それぞれいわゆる前ピン及び後ピンを示す矢印等の図形を表示する。
シャッター速度表示１１２は、ＣＰＵ１０１が行う周知の自動露出（ＡＥ）制御又はユーザによって設定された撮影時のシャッター速度を表示するものである。
絞り値表示１１３は、ＡＥ制御又はユーザによって設定された撮影時のレンズ鏡筒２００の絞り値を表示するものである。
複写倍率表示１１４は、上述した複写倍率を数値で表示するほか、これと隣接して、複写倍率に応じた図形が表示される。
【００３２】
図４は、複写倍率表示の例を示す図である。図４（ａ）、（ｂ）及び（ｃ）は、複写対象のフィルムＦをそれぞれ例えば複写倍率０．８，１．０，１．２で複写するときに表示される複写倍率表示である。
これらの各複写倍率表示に付されている図形は、撮像素子の撮像面サイズを示す実線の矩形枠をそれぞれ有する。そして、図４（ａ）に示す複写倍率が０．８の場合においては、フィルム画像の投射像のサイズを示す破線の矩形枠が実線の矩形枠の内側に表示され、フィルムＦの画像が縮小されて複写されることが示される。
これに対し、図４（ｃ）に示す複写倍率が１．２の場合においては、破線の矩形枠が実線の矩形枠の外側に表示され、フィルムＦの画像が拡大され、その一部の領域が全画面に複写されることが示される。
そして、図４（ｂ）に示す複写倍率が１．０の場合においては、破線の矩形枠は表示されず、実線の矩形枠の中央部に丸印が表示され、フィルムＦの画像が略等倍で複写されることが表示される。また、複写倍率が１．０であるとき、カメラボディ１００のＣＰＵ１０６は、図示しない音声出力部に、信号音を出力させる。
【００３３】
以上のように、本実施例によれば、ユーザは、ファインダ表示部１０５に表示される複写倍率表示を参照しながら、ワーキングディスタンスや焦点距離の調節を行えるから、容易に所望の複写倍率を得ることができる。
また、予め設定された複写倍率のときに信号音を発するから、所望の倍率での複写を容易に行うことができる。
【００３４】
（変形例）
本発明は、以上説明した実施例に限定されることなく、種々の変形や変更が可能であって、それらも本発明の均等の範囲内である。
（１）  本実施例は、複写倍率をファインダ表示部に表示したが、これに限らず、例えばカメラボディの軍艦部や背面部に備えられる表示画面等に表示するようにしてもよい。
（２）  本実施例は、複写倍率が１．０のときに音声出力部から信号音が出力されるが、信号音が出力される複写倍率は１．０に限らず、任意に設定できるようにしてもよい。また、信号音を出力することに代えて、又は信号音とともに、表示を点滅させたり、光を発するようにしてもよい。
（３）  本実施例は、カメラボディはデジタルカメラであるが、これに限らず、３５ｍｍ判のフィルムカメラや、それ以外のサイズのフィルムを用いるフィルムカメラであってもよい。
（４）  本実施例では、フィルムセンサによってネガ又はポジの区別とフィルムのサイズとを検出しているが、これに代えて、これらをユーザが入力して設定する入力部を備えてもよい。
（５）  本実施例では、被写体の距離に関する情報を、フィルム保持装置に設けたＷＤセンサによって検出しているが、レンズ鏡筒内に距離エンコーダを設けて、ここで検出するようにしてもよい。
【図面の簡単な説明】
【００３５】
【図１】本発明を適用したカメラシステムの一実施例を示す概略図である。
【図２】図１のカメラシステムの構成を示すブロック図である。
【図３】図１のカメラシステムのファインダ表示部の一表示例を示す図である。
【図４】図１のカメラシステムの複写倍率表示の例を示す図である。
【符号の説明】
【００３６】
１００    カメラボディ
１０１    撮像素子
１０２    マウント
１０３    ミラー
１０４    ペンタプリズム
１０５    ファインダ表示部
１０５ａ  ファインダ像表示領域
１０５ｂ  ＬＣＤ表示領域
１０６    ＣＰＵ
１１０    ＡＦ測距エリア表示
１１１    ＡＦインジケータ
１１２    シャッター速度表示
１１３    絞り値表示
１１４    複写倍率表示
２００    レンズ鏡筒
２０１    レンズ群
２０２    マウント
２０３    倍率センサ
３００    フィルム保持装置
３０１    フィルムホルダ
３０２    スライド機構部
３０３    フィルムセンサ
３０４    ワーキングディスタンスセンサ
Ｆ    フィルム
【図１】
2005292257.tif 000003
【図２】
2005292257.tif 000004
【図３】
2005292257.tif 000005
【図４】
2005292257.tif 000006